(57)【要約】【課題】使用途中の結束用バンドのコイルの交換及び繰り返し使用を、コイルの弛みや巻き姿の崩れが生じることなく行うことができるバンドリール装置を提供する。【解決手段】結束装置２に取り付けられた支持軸３と、対向する押え部材２４、２５を中空軸２３に、少なくとも一方を軸方向に移動可能に連結して両押え部材間にて結束用バンドのコイルＢＣを固定可能にするとともに、前記中空軸によって前記支持軸に対して装着、離脱可能にしたバンドリール４と、バンドリールを前記支持軸に取り付ける取り付け手段５と、を備えた構成になっている。【選択図】図１
2010018286.tif 000002
【特許請求の範囲】
【請求項１】
結束装置に結束用バンドのコイルを、このコイルの軸心周りに回転可能に支持するための結束装置のバンドリール装置において、
前記結束装置に取り付けられた支持軸と、
対向する押え部材を中空軸に、少なくとも一方を軸方向に移動可能に連結して両押え部材間にて結束用バンドのコイルを固定可能にするとともに、前記中空軸によって前記支持軸に対して装着、離脱可能にしたバンドリールと、
バンドリールを前記支持軸に取り付ける取り付け手段と、
を備え、
結束用バンドのコイルをバンドリールに固定した状態で支持軸に装着、離脱可能にした
ことを特徴とする結束装置のバンドリール装置。
【請求項２】
請求項１記載のバンドリール装置において、
取り付け手段が、
支持軸の端部に設けた雄ねじ部と、
この雄ねじ部にねじ結合するバンドリール取り付け部材と、を備え、
バンドリール取り付け部材にて支持軸に装着したバンドリールを軸方向の移動を規制して取り付けるようにした
ことを特徴とするバンドリール装置。
【請求項３】
請求項１又は請求項２記載のバンドリール装置において、
支持軸を回転可能に設けるとともに、この支持軸とこれに装着したバンドリールとを回転方向に一体化する回転方向一体化手段を設けた
ことを特徴とするバンドリール装置。
【請求項４】
請求項３記載のバンドリール装置において、
回転方向一体化手段が、
支持軸に設けた凸部とバンドリールの中空軸に設けた切り欠きもしくは凹部との結合、又は支持軸に設けた切り欠きもしくは凹部とバンドリールの中空軸に設けた凸部との係合機構である
ことを特徴とするバンドリール装置。
【請求項５】
請求項１ないし請求項４のいずれか記載のバンドリール装置において、
支持軸に装着したバンドリールに対して接触及び離隔可能に設けられ、接触することによりバンドリールの回転を制動するブレーキ手段を設けた
ことを特徴とするバンドリール装置。
【請求項６】
請求項３又は請求項４記載のバンドリール装置において、
一体化した支持軸又はバンドリールの一方にこれらと同心状にして回転部材を設け、
この回転部材に対して接触及び離隔可能に設けられ、接触することによりこの回転部材を介してバンドリールの回転を制動するブレーキ手段を設けた
ことを特徴とするバンドリール装置。
【請求項７】
請求項１ないし請求項６に記載のバンドリール装置に適用可能であって、結束用バンドのコイルを保持可能であり、結束用バンドのコイルを保持したままでバンドリール装置の支持軸に対して装着及び離脱可能なバンドリールにおいて、
結束用バンドのコイルの中空部を貫通可能であり、かつ先端側外周面に雄ねじ部を設けるとともに、前記支持軸に回転方向に連結可能であるよう中空に形成された中空軸と、
この中空軸の基端部に取り付けられた一方の押え部材と、
前記中空軸の外周にこの中空軸の軸方向に移動可能に嵌合するスリーブに取り付けられた他方の押え部材と、
前記一方の押え部材を取り付けた中空軸に設けられた雄ねじ部とねじ結合可能で、前記中空軸に嵌合したスリーブの前記中空軸先端側への移動を規制する規制部材と、
を備え、
結束用バンドのコイルを両押え部材間に挟むとともに、規制部材を締め込むことにより他方の押え部材を一方の押え部材側へ送り込んで両押え部材間に結束用バンドのコイルを固定して保持可能にした、
ことを特徴とするバンドリール。
【請求項８】
請求項７記載のバンドリールにおいて、
一方の押え部材を中空軸に対して、又は他方の押え部材をスリーブに対して、対向する押え部材側へ所定のストロークで移動可能に取り付け、
前記一方の押え部材と中空軸の間、又は他方の押え部材とスリーブの内に弾性部材を介装し、
結束用バンドのコイルの両側面が両押え部材にて常に押さえられるようにした
ことを特徴とするバンドリール。
【請求項９】
請求項８記載のバンドリールにおいて、
両押え部材のそれぞれの中空部に、対向方向に角錘台状または円錐台状に突出する突出部を設け、
この両突出部を結束用バンドのコイルの中空部にはめ込むことにより結束用バンドのコイルを支持する
ことを特徴とするバンドリール。
【請求項１０】
請求項７ないし請求項９のいずれか記載のバンドリールにおいて、
中空軸に軸方向の切り欠き又は凸部もしくは凹部を設け、
バンドリール装置に装着状態で、前記切り欠き又は凸部もしくは凹部によりバンドリール装置の支持軸と回転方向に一体化可能である
ことを特徴とするバンドリール。
【発明の詳細な説明】
【技術分野】
【０００１】
この発明は、コイル状に巻いた結束用バンドを引き出して物品を結束する結束装置において、前記結束用バンドのコイルを結束装置に装着するためのバンドリール装置及びそのバンドリールに関する。
【背景技術】
【０００２】
コイル状に巻かれた結束用バンド、例えばポリプロピレンバンドを使用する結束装置は、物品を収納した箱や新聞などの積み重ね物品等の梱包結束に旧来より極めて一般的に使用されている。そして、結束装置に装着されたコイル状の結束用バンドは、それが使い尽くされるまで結束装置から取り降ろされることがないのが通常である。
【０００３】
したがって、コイル状に巻かれた結束用バンドを結束装置に装着するためのバンドリールは、結束装置に取り付けられることで前記結束用バンドと一体となるように構成されている。これはつまり、例えば特許文献１（従来技術１）、特許文献２（従来技術２）、特許文献３（従来技術３）等に図示されているとおりである。
【０００４】
特許文献１に示されるリール装置は、基端側が段状に大径になっており、この基端部に対して小径になっている先端側に雄ねじ部が形成され、結束装置のリールスタンドに回転可能に設けられた支持軸（リールシャフト）に、この支持軸に嵌合する穴を有するフランジ及びバンドコイルの巻芯と嵌合する巻芯受が設けられた一方のリール側板を、支持軸基端側の段部とフランジとの間にコイルスプリングを介在させて装着し、次いでバンドコイル、他のリール側板の順に装着し、さらに支持軸先端側の雄ねじ部にボルトをねじ込んで、他のリール側板、バンドコイル及び一方のリール側板に設けられたフランジを介して前記コイルスプリングを圧縮し、一方のリール側板とバンドコイルと他のリール側板とをリールスタンド上で一体化することができるようにした構成になっている。
【０００５】
特許文献２に示されるリール装置は、バンドコイルの軸芯に嵌合する軸芯ホルダーを有する一方のリール側板と、この一方のリール側板と対向して両者間にバンドコイルを挟み込む他方のリール側板と、前記側板の少なくとも一方に設けられたブロックの中空部に装填される圧縮スプリングによって外方へ向かう力を付与された軸方向に変位可能な摺動支軸と、摺動支軸と同一中心線を有するよう設けられ、前記一方の側板と他方の側板とを前記中心線周りに変位可能、かつ軸方向に移動可能に連結する連結支軸とを有し、前記一方の側板と他方の側板とでバンドコイルを挟み込み、かつ連結支軸で連結した状態で、この状態における摺動支軸端部から連結支軸端部までの長さより小さな間隔で摺動支軸端部と支軸端部とを支持するように結束装置に設けられたリールスタンドに、前記圧縮スプリングをさらに圧縮して支持させ、一方の側板と他方の側板とバンドコイルと支軸とをリールスタンド上で一体化することができるようにした構成になっている。
【０００６】
特許文献３に示されるリール装置は、先端側を拡張変形可能にした保持部材を有する内側プレートを、その軸通し部に本体（結束装置又はそのリールスタンド）側に、回転可能に設けた軸を通すとともに軸の固定具に固定して取り付け、次いでバンドコイルをその中空部に前記内側プレートの保持部材を収容する状態に装着するようにしている。そして、前記保持部材に先端側から進入し、保持部材の先端側をその内側から拡張するはめ込み用筒部材を有する外側プレートを、その軸通し部に前記本体側に設けた軸を通し、さらに外側プレートから突き出した前記軸の突出部に設けられた雄ねじ部に雌ねじ部を有するハンドルをねじ込んで、外側プレートを内側プレート側に押し付け、外側プレートと内側プレートとバンドコイルとを本体上で一体化することができるようにした構成になっている。
【０００７】
【特許文献１】実開昭５７−１４９２０４号公報
【特許文献２】実開昭５７−１５１２０２号公報
【特許文献３】特開２００２−８７４０４号公報
【発明の開示】
【発明が解決しようとする課題】
【０００８】
最近の新聞は、新聞社から独立した印刷会社が名称の異なる多種の新聞を印刷するようになり、それに伴って、当該印刷会社から従来に増して多くの搬送先に様々な新聞が搬送されるようになった。そしてそれぞれの搬送にあたっての積み込み、積み降ろしを少なくとも従来同様の速度で間違いなく行うために、梱包され結束された新聞束を一目で見分けられるよう、色の異なる結束用バンドでの結束が求められるようになり、そのため結束装置においては結束用バンドの中途交換が必要となった。
【０００９】
ところで、結束用バンドのコイルは、前記特許文献１の明細書中にも記載されるように、巻きぐせがつかないように、かつ引き出しを円滑に行いうるように巻かれているが、荷扱いが良くないと巻き姿が崩れ、引き出しを円滑に行うことができなくなる場合が生じるものである。
【００１０】
したがって、前記した特許文献１ないし特許文献３に示された結束装置のバンドリール装置、つまり結束装置又はそのリールスタンドに装着した状態の場合にのみ結束用バンドのコイルとの一体化が可能なバンドリールによって結束用バンドのコイルを装着可能にしたバンドリール装置では、前記したように使用途中の結束用バンドのコイルの交換を頻繁に行うと、そのつど慎重に結束用バンドのコイルを取り扱っても、何ら拘束されていない状態で放置される使用途中の結束用バンドのコイルは徐々に弛みが生じてこれの巻き姿が崩れ、付け替えての繰り返し使用に際して結束用バンドの引き出しを円滑に行うことができずに作業効率を著しく低下させる事態が生じ、ひいては結束用バンドのコイルの繰り返し使用が不能になる事態が生じていた。
【００１１】
この発明は、前記した従来技術の課題を解決するためになされたもので、使用途中の結束用バンドのコイルを、結束装置から取り外した際にも、当該使用途中の結束用バンドのコイルを結束装置に取り付けているときと同様に拘束し得るようにして、使用途中の結束用バンドのコイルの交換及び繰り返し使用を頻繁に行うことができ、これにより結束用バンドのコイルの繰り返し使用の際に生じていたコイルの弛みや巻き姿の崩れを防止できて、作業効率の著しい低下を防止するとともに、結束用バンドのコイルの繰り返し使用が不可能になる事態の発生を防止し、さらに作業効率の向上と資源の無駄を一掃することができるようにした結束装置のバンドリール装置及びそのバンドリールを提供することを目的とするものである。
【課題を解決するための手段】
【００１２】
前記目的を達成するために、この発明に係る結束装置のバンドリール装置で、請求項１の発明は、結束装置に結束用バンドのコイルを、このコイルの軸心周りに回転可能に支持するための結束装置のバンドリール装置において、前記結束装置に取り付けられた支持軸と、対向する押え部材を中空軸に、少なくとも一方を軸方向に移動可能に連結して両押え部材間にて結束用バンドのコイルを固定可能にするとともに、前記中空軸によって前記支持軸に対して装着、離脱可能にしたバンドリールと、バンドリールを前記支持軸に取り付ける取り付け手段と、を備え、結束用バンドのコイルをバンドリールに固定した状態で支持軸に装着、離脱可能にした構成になっている。
【００１３】
また、請求項２の発明は、前記請求項１の発明のバンドリール装置において、取り付け手段が、支持軸の端部に設けた雄ねじ部と、この雄ねじ部にねじ結合するバンドリール取り付け部材と、を備え、バンドリール取り付け部材にて支持軸に装着したバンドリールを軸方向の移動を規制して取り付けるようにした構成になっている。
【００１４】
また、請求項３の発明は、前記請求項１又は請求項２の発明のバンドリール装置において、支持軸を回転可能に設けるとともに、この支持軸とこれに装着したバンドリールとを回転方向に一体化する回転方向一体化手段を設けた構成になっている。
【００１５】
また、請求項４の発明は、前記した請求項３の発明のバンドリール装置において、回転方向一体化手段が、支持軸に設けた凸部とバンドリールの中空軸に設けた切り欠きもしくは凹部との結合、又は支持軸に設けた切り欠きもしくは凹部とバンドリールの中空軸に設けた凸部との係合機構になっている。
【００１６】
また、請求項５の発明は、前記した請求項１ないし請求項４のいずれかの発明のバンドリール装置において、支持軸に装着したバンドリールに対して接触及び離隔可能に設けられ、接触することによりバンドリールの回転を制動するブレーキ手段を設けた構成になっている。
【００１７】
また、請求項６の発明は、前記した請求項３又は請求項４の発明のバンドリール装置において、一体化した支持軸又はバンドリールの一方にこれらと同心状にして回転部材を設け、この回転部材に対して接触及び離隔可能に設けられ、接触することによりこの回転部材を介してバンドリールの回転を制動するブレーキ手段を設けた構成になっている。
【００１８】
そしてまた、前記目的を達成するために、この発明に係るバンドリールで、請求項７の発明は、前記した請求項１ないし請求項６の発明のバンドリール装置に適用可能であって、結束用バンドのコイルを保持可能であり、結束用バンドのコイルを保持したままでバンドリール装置の支持軸に対して装着及び離脱可能なバンドリールにおいて、結束用バンドのコイルの中空部を貫通可能であり、かつ先端側外周面に雄ねじ部を設けるとともに、前記支持軸に回転方向に連結可能であるよう中空に形成された中空軸と、この中空軸の基端部に取り付けられた一方の押え部材と、前記中空軸の外周にこの中空軸の軸方向に移動可能に嵌合するスリーブに取り付けられた他方の押え部材と、前記一方の押え部材を取り付けた中空軸に設けられた雄ねじ部とねじ結合可能で、前記中空軸に嵌合したスリーブの前記中空軸先端側への移動を規制する規制部材と、を備え、結束用バンドのコイルを両押え部材間に挟むとともに、規制部材を締め込むことにより他方の押え部材を一方の押え部材側へ送り込んで両押え部材間に結束用バンドのコイルを固定して保持可能にした構成になっている。
【００１９】
また、請求項８の発明は、前記した請求項７の発明のバンドリールにおいて、一方の押え部材を中空軸に対して、又は他方の押え部材をスリーブに対して、対向する押え部材側へ所定のストロークで移動可能に取り付け、前記一方の押え部材と中空軸の間、又は他方の押え部材とスリーブの内に弾性部材を介装し、結束用バンドのコイルの両側面が両押え部材にて常に押さえられるようにした構成になっている。
【００２０】
また、請求項９の発明は、前記した請求項８の発明のバンドリールにおいて、両押え部材のそれぞれの中空部に、対向方向に角錘台状または円錐台状に突出する突出部を設け、この両突出部を結束用バンドのコイルの中空部にはめ込むことにより結束用バンドのコイルを支持する構成になっている。
【００２１】
さらに、請求項１０の発明は、前記した請求項７ないし請求項９のいずれかの発明のバンドリールにおいて、中空軸に軸方向の切り欠き又は凸部もしくは凹部を設け、バンドリール装置に装着状態で、前記切り欠き又は凸部もしくは凹部によりバンドリール装置の支持軸と回転方向に一体化可能である構成になっている。
【発明の効果】
【００２２】
本発明によれば、対向する押え部材を中空軸で連結することによって、前記押え部材間に結束用バンドのコイルを挟んで固定可能にし、中空軸で連結した押え部材間に挟んでバンドリールと一体にした結束用バンドのコイルを、前記中空軸によって結束装置に設けた支持軸に対して装着及び離脱可能に構成したことにより、使用途中の結束用バンドのコイルの交換及び繰り返し使用を頻繁に行っても、結束用バンドのコイルに弛みや巻き姿の崩れが生じることがなく、作業効率の著しい低下を防止するとともに、結束用バンドのコイルの繰り返し使用が不能になる事態の発生を防止し、作業効率の向上と資源の無駄を一掃することができる。
【００２３】
請求項２の発明によれば、結束用バンドのコイルの結束装置の支持軸に対する装着及び離脱を、バンドリール取り付け部材のねじ連結を締め込み又は緩め外すだけの簡易な機構としたので、前記結束用バンドのコイルの支持軸に対する装着及び離脱を、誰でも極めて容易に行うことができる。
【００２４】
また、請求項３の発明によれば、中空軸で連結した押え部材間に挟んでバンドリールと一体にした結束用バンドのコイルを、回転可能に設けた支持軸とともに回転するようにしたので、結束用バンドを引き出す際に無用の抵抗がなく、良好な結束用バンドの引き出しを行うことができる。
【００２５】
また、請求項４の発明によれば、中空軸と支持軸とに設けた凹部又は切り欠きと凸部との係合により、中空軸で連結した押え部材間に挟んでバンドリールと一体にした結束用バンドのコイルを支持軸と一体化する簡易な構成にしたので、コイルと支持軸との一体化を、コイルを支持軸に装着するときの位置合わせのみで誰でも極めて容易に行うことができる。
【００２６】
また、請求項５の発明によれば、中空軸で連結した押え部材間に挟んでバンドリールと一体にした結束用バンドのコイルの、バンド引き出しの際の慣性による回転を防止して、コイルの無用の巻きほぐれを防止し、後続のバンドの円滑な引き出しを保証することができる。
【００２７】
また、請求項６の発明によれば、前記請求項５の発明と同様の効果を有するとともに、結束用バンドのコイルの慣性による回転を制動する際に、コイルと一体のバンドリールを構成する押え部材に直接接触して制動力を付与させないので、制動力の付与による押え部材の無用の変位を生じることがなく、前記変位によって結束用バンドのコイルに弛みや巻き姿の崩れが生じる虞を回避できる。
【００２８】
また、請求項７の発明によれば、結束装置とは無関係に、かつ誰もが極めて容易に、バンドリールによって結束用バンドのコイルを保持して固定することができ、このコイルを結束装置に装着する以前の段階から、その弛みや巻き姿の崩れの発生を予防することができる。
【００２９】
また、請求項８の発明によれば、結束用バンドのコイルを保持して固定したバンドリールに外力が作用した場合でも、保持されたこのコイルには、その力が弾性部材によって緩和されて作用するので、当該外力による結束用バンドのコイルの弛みや巻き姿の崩れの発生を防止ないし軽減することができる。そして、結束用バンドの消費に伴って巻き幅が徐々に減少するような結束用バンドのコイルを使用する場合でも、対向する押え部材間に結束用バンドのコイルを固定した後にコイルと両押え部材との間に間隙が生じるのを防止することができ、結束用バンドの消費にあたって、バンドが押え部材とコイルとの間にバンドが落ち込んで、バンドの引き出しに支障をきたすことをなくすことができる。
【００３０】
また、請求項９の発明によれば、結束用バンドのコイルをバンドリールに保持させる際に、このコイルの軸心とバンドリールの軸心とを極めて容易に合わせることができる。
【００３１】
そしてさらに、請求項１０の発明によれば、結束用バンドのコイルを保持したバンドリールをバンドリール装置に装着する際に、このバンドリールとバンドリール装置の支持軸とを、誰もが極めて容易に回転方向に関して一体化することができる。
【発明を実施するための最良の形態】
【００３２】
次に、この発明の実施の形態を図面を参照して説明する。
【００３３】
図１は結束用バンドのコイルを保持したバンドリールを装着した状態のバンドリール装置を示す縦断側面図、図２はバンドリール装置から取り外した状態の前記バンドリールを示す縦断側面図、図３はバンドリールの一部を切欠して示した結束装置におけるバンドリール装置の正面図、図４は図２のＸ−Ｘ矢視図、図５は図４のＹ矢視図である。
【００３４】
図１において、バンドリール装置１は、結束装置２に自由回転可能に設けられた支持軸３と、この支持軸３に軸方向に抜き差し可能に、かつ挿入した状態で回転方向に係合支持されるバンドリール４と、このバンドリール４を支持軸３に軸方向に取り付ける取り付け装置５と、前記結束装置２側に設けられて前記バンドリール４の自由回転を制動するブレーキ装置６とを備えている。なお、図３で示した実施の形態では同一構成のバンドリール装置１を２組備えた構成を示した。
【００３５】
前記支持軸３は、これの基端部が結束装置２のフレーム７に取り付けられた軸受ボックス８に軸受９を介して回転可能にして片持ち状に支持されている。そしてこの支持軸３の先端部はこれの中間部より若干小径になっていて、この部分に雄ねじ１０が設けてある。また、支持軸３の中間部の外周面にねじ孔１１が軸直角状に設けてある。
【００３６】
ブレーキ装置６は、前記支持軸３を支持する軸受ボックス８の外周に軸受１２を介して自由回転可能に支持されたブレーキ板１３と、このブレーキ板１３の外周面に接離するブレーキシュー１４と、このブレーキシュー１４の接離作動を駆動する流体圧アクチュエーター１５とからなっている。そして前記ブレーキシュー１４は、支軸１６にて結束装置２のフレーム７に角変位可能にして一側が支持されたアーム１７の中間部に取り付けられている。前記流体圧アクチュエーター１５は、これの尾端が支軸１８にて角変位可能に支持されており、その伸縮ロッドが連結部材１９及びピン２０を介して前記アーム１７の他側に角変位可能に連結されている。
【００３７】
前記ブレーキ装置６のブレーキ板１３のフレーム７と対向しない側、すなわち支持軸３側に前記したバンドリール４をこのブレーキ板１３に係脱可能に連係する円板状の連結部材２１がブレーキ板１３と同芯状に固定されている。そしてこの連結部材２１の端面には、後述するバンドリール４と回転方向変位が一体に行われるように係合するための溝２２が円周方向に少なくとも１個所、例えば円周方向等分４箇所に設けてある。
【００３８】
バンドリール４は、前記バンドリール装置１の支持軸３に軸方向に抜き差し可能に嵌合する中空軸２３と、この中空軸２３に支持されて、結束用バンドのコイルＢＣの両側面を押さえ支持する一方及び他方の押え部材２４、２５と、他方の押え部材２５の中空軸２３における先端側の位置を規制する規制部材２６とを備えている。
【００３９】
中空軸２３の軸方向基端部に、中空部より段状に大径にした肩部２７が中空状に形成してあり、この肩部２７の端面部に前記したブレーキ装置６側に固定した連結部材２１の溝２２に回転方向変位が一体に行われるように連結する突起２８が設けてある。この突起２８は少なくとも１個、あるいは前記溝２２のそれぞれに連結する位置の複数個所、例えば円周方向等分４個所に設けられている。
また、中空軸２３の先端部の外周面に雄ねじ２９が設けられている。そしてこの中空軸２３の長さは支持軸３より短くなっていて、この中空軸２３が支持軸３に嵌合装着された状態で、この中空軸２３の先端より前記支持軸３の雄ねじ１０を設けた部分が突出されるようになっている。
【００４０】
また、この中空軸２３には、前記支持軸３に設けられたねじ孔１１に対応する位置に、このねじ孔１１にねじ込まれる係合ピン３０が係合する幅の長溝３１が軸方向に設けてある。なおこの長溝３１は、大径にした肩部２７から中空軸部分にわたって設けられており、中空軸２３を支持軸３に、これの基端側から嵌合したときに、前記係合ピン３０が中空軸２３の大径部先端側と干渉することなく長溝３１内に係合するようになっている。
【００４１】
バンドリール４の前記一方の押え部材２４は、中空軸２３の基端側に配置されるものであり、この一方の押え部材２４は、外リング３２と内リング３３と、この両リング３２、３３を連結するべく放射方向に複数本（例えば６本）設けたリブ３４とからなる枠体３５と、この枠体３５の内径側に固定される拘束部材３６と、この拘束部材３６を前記中空軸２３の肩部２７に連結する連結板材３７とから構成される。
【００４２】
前記拘束部材３６は、広鍔の帽子形状に形成され、略円錐台形状で軸方向に立ち上がり、中央部分の端面が連結用の縁を残して切り欠かれ、この円錐台形状で立ち上がる中央部分が内側に位置するように配されるとともに、広鍔部３６ａの裏面が前記枠体３５の内側に沿う状態にして、この枠体３５にボルト連結されるようになっている。
【００４３】
また、前記連結板３７は中央に外縁と同心の切り欠き穴が設けられ、前記拘束部材３６の円錐台形状で立ち上がる中央部分の端面に残された連結用の縁に外縁側がボルト止めされるようになっている。そしてこの連結板材３７の切り欠き穴の周縁部が前記中空軸２３の肩部２７にボルト止めされるようになっていて、このボルト止めにより、中空軸２３と一方の押え部材２４とが、両者の中心線が略一致させられ、中空軸２３が一方の押え部材２４の拘束部材３６の円錐台形状で立ち上がる中央部分の端面から先端側が突出する状態で連結されるようになっている。
【００４４】
他方の押え部材２５は中空軸２３の先端側に配置されるものであり、この他方の押え部材２５は、外リング３８と内リング３９とこの両リング３８、３９を連結するべく放射方向に複数本（例えば６本）設けたリブ４０とからなる枠体４１と、この枠体４１の内径側に固定される拘束部材４２と、この拘束部材４２の内径側に固定される連結板材４３と、この連結板材４３の内径側に同心状に連結されるスリーブ４４とから構成されていて、基本的にはこの他方の押え部材２５は前記一方の押え部材２４と軸方向に対向形状になっている。
【００４５】
すなわち、この他方の押え部材２５における拘束部材４２は、広鍔の帽子形状に形成され、略円錐台形状で軸方向に立ち上がり中央部分の端面が連結用の縁を残して切り欠かれ、この円錐台形状で立ち上がる中央部分が内側に位置するように配されるとともに、広鍔部４２ａの裏面が前記枠体４１の内側に沿う状態にして前記枠体４１にボルト連結されるようになっている。
【００４６】
また前記連結板材４３は、中央に外縁と同心の切り欠き穴が設けられ、前記拘束部材４２の円錐台形状で立ち上がる中央部分の端面に残された連結用の縁に外縁側がボルト止めされるようになっている。
【００４７】
前記スリーブ４４は、前記中空軸２３の外周面に少なくとも軸方向に容易に変位可能に嵌合するようになっている。そしてこのスリーブ４４に設けられたフランジ部には中空軸２３の基端側へ向けて突出するピンボルト４５が円周方向に複数個設けてあり、このピンボルト４５に前記連結板材４３の切り欠き穴の周縁部が中空軸２３の軸方向に移動可能に連結されるとともに、このピンボルト４５に前記フランジ部と連結板材４３の周縁部との間に介在した圧縮ばね４６にて連結板材４３がスリーブ４４に対して一方の押え部材２４側へ付勢されるようになっている。
【００４８】
規制部材２６は、中空軸２３の先端部の外周面に設けられた雄ねじ２９にねじ結合することにより前記スリーブ４４の背面側を支持するようになっている。規制部材２６の先端部には筒状部が形成してあり、この筒状部にこの規制部材２７を回転するための工具を係合する小穴４７が設けてある。
【００４９】
バンドリール４を支持軸３に軸方向変位が一体に行われるように取り付ける取り付け装置５は、支持軸３の前記中空軸２３より突出する先端部に設けられた雄ねじ１０と、この雄ねじ１０にねじ結合するバンドリール取り付け部材４８にて構成されている。そしてこのバンドリール取り付け部材４８が支持軸３の雄ねじ１０にねじ結合した状態でバンドリール４の中空軸２３の端面に当接して、バンドリール４が支持軸３に、つまり結束装置２に取り付けられるようになっている。
【００５０】
次に、以上の構成の結束装置２におけるバンドリール装置１の使用状態を説明する。
【００５１】
結束装置２に結束用バンドのコイルＢＣを取り付けるには、まずバンドリール４に前記コイルＢＣを取り付け、ついでこのバンドリール４を支持軸３に取り付ける。
【００５２】
結束用バンドのコイルＢＣを取り付ける前のバンドリール４は、一方の押え部材２４が中空軸２３の肩部２７に取り付けられており、他方の押え部材２５は中空軸２３から外されている。
【００５３】
バンドリール４に結束用バンドのコイルＢＣを取り付けるには、中空軸２３が取り付けられている一方の押え部材２４の拘束部材３６を、これの円錐台形状で立ち上がる中央部分を前記コイルＢＣの中空部に中空軸２３とともにはめ込んで、前記拘束部材３６の中空部分に、この中空部分の中心が中空軸２３の中心とほぼ一致した状態で貫通させる。
【００５４】
次いで、他方の押え部材２５を、この他方の押え部材２５のスリーブ２６を中空軸２３の先端側に挿入するとともに、拘束部材４２を前記コイルＢＣの中空部に前記一方の押え部材２４の反対側からはめ込み、コイルＢＣを両押え部材２４、２５間に挟む。そしてさらに、他方の押え部材２５の外側から規制部材２６を中空軸２３の先端部に設けられた雄ねじ２９にねじ連結してこれを締め込む。この規制部材２６の締め込みによってスリーブ４４が押し込まれ、このスリーブ４４の押し込みによって圧縮ばね４６をより圧縮し、その反発力によって、両押え部材２４、２５の拘束部材３６、４２の広鍔部３６ａ、４２ａの表面を前記コイルＢＣの側面に強く接触させる。これにより図２に示すように、結束用バンドのコイルＢＣがバンドリール４に一体状に把持し固定される。
【００５５】
なお、スリーブ４４を押し込むために規制部材２６を締め込む際は、必要に応じてこの規制部材２６の筒状部に設けた小穴４７に適宜の工具を差し込んで行う。
【００５６】
次いで、図１に示すように、結束用バンドのコイルＢＣを一体に把持し固定したバンドリール４を結束装置１に装着する。
【００５７】
つまり、前記バンドリール４の中空軸２３を、これの基端側を先行させて、バンドリール装置１の支持軸３に嵌合する。この嵌合に際し、支持軸３にねじ込まれ固定された係合ピン３０を中空軸２３の切り欠き溝３１と係合させ、中空軸２３の基端面に設けられた突起２８をブレーキ装置６の連結部材２１に設けた溝２２に回転方向変位が一体に行われるように結合させる。
【００５８】
これらの結合によって、支持軸３と中空軸２３、つまり支持軸３と結束用バンドのコイルＢＣを一体に把持し固定したバンドリール１が回転方向で一体化される。
【００５９】
次いで、中空軸２３の先端から突出している支持軸３の先端部に設けられた雄ねじ部１０にバンドリール取り付け部材４８をねじ結合して中空軸２３の先端を軸方向に押さえ込むことにより、中空軸２３の軸方向位置が固定され、バンドリール４が支持軸３に、つまり結束装置２に装着される。
【００６０】
結束装置２は、以上記載したように結束用バンドのコイルＢＣを一体に把持し固定したバンドリール４を支持軸３に装着したのちに稼動する。
【００６１】
この結束装置２の稼動において、結束作動に応じてバンドリール４から結束用バンドが引き出される。このときのバンドリール４は、ブレーキ装置６のブレーキ板１３とともに自由回転状態にあるので、結束用バンドは抵抗なく引き出される。またこのときの結束用バンドは、結束装置２のフレーム７に設けた複数の案内ローラからなるバンド案内装置４９にて案内される。
【００６２】
バンドの引き出しが終了すると、ブレーキ装置６が作動してバンドリール４の慣性回転が阻止される。
【００６３】
このブレーキ装置６の作動は、流体圧アクチュエーター１５が、その伸縮ロッドを伸長する方向に動作してアーム１７を支軸１６周りに角変位し、アーム１７の中間部に設けられたブレーキシュー１４をブレーキ板１３の外周面に押しつけてこれを制動することによってなされ、このブレーキ板１３と一体化されたバンドリール４及び支持軸３が制動される。
【００６４】
上記稼動途中で、結束用バンドの色変更等によりこれの交換が必要になったときには、バンドリール取り付け部材４８を取り外し、バンドリール装置１のバンドリール４に装着されている結束用バンドのコイルＢＣを、このバンドリール４ごと取り外し、別に用意した例えば異なる色の結束用バンドのコイルＢＣを一体に把持し固定した他のバンドリール４を支持軸３に装着し、バンドリール取り付け部材４８で固定する。
【００６５】
また図３に示すように、バンドリール装置４を２組（複数組）備えた実施の形態では、この各バンドリール装置４の結束用バンドを選択的に用いることができる。
【００６６】
また、上述した実施の形態においては、バンドリール４の一方の押え部材２４を中空軸２３の基端側にボルト結合する例を示したが、この一方の押え部材２４を他方の押え部材２５と同様に、中空軸２３に対して軸方向へ移動可能に設けると共に、この押え部材２４を他方の押え部材２５側へ圧縮ばねにて押圧するようにしてもよい。この場合、他方の押え部材２５はスリーブ４４に固定してもよい。そして前記圧縮ばねは、コイルスプリング以外に皿ばねやゴム材を用いてもよい。
【００６７】
また、支持軸３と中空軸２３との回転方向の結合は、図１に示した係合ピン１１と長溝３１に限るものではなく、支持軸３に固着したキー部材が中空軸２３の軸方向に設けたキー溝に係合するようにしてもよく、要は支持軸に設けた凸部と中空軸２３に設けた切り欠きもしくは凹部との係合、又は支持軸に設けた切り欠きもしくは凹部と中空軸２３に設けた凸部との係り合いによってもよい。
【００６８】
また、ブレーキ装置６のブレーキ板２１は中空軸２３（バンドリール側）に設けてもよく、さらに押え部材２４、２５における拘束部材３６、４２の立ち上がり形状は角錘台状であってもよい。
【産業上の利用可能性】
【００６９】
この発明は、コイル状に巻いた結束用バンド、例えばポリプロピレンバンドを引き出して物品を収納した箱や、新聞などの積み重ね物品等の梱包結束をする結束装置に利用可能である。
【図面の簡単な説明】
【００７０】
【図１】結束用バンドのコイルを保持したバンドリールを支持軸に装着した状態のバンドリール装置を示す縦断側面図である。
【図２】支持軸から取り外した状態のバンドリールを示す縦断側面図である。
【図３】バンドリールの一部を切欠して示したバンドリール装置の正面図である。
【図４】図２のＸ−Ｘ矢視図である。
【図５】図４のＹ矢視図である。
【符号の説明】
【００７１】
１…バンドリール装置、２…結束装置、３…支持軸、４…バンドリール、５…取り付け装置、６…ブレーキ装置、７…フレーム、８…軸受ボックス、９…軸受、１０…雄ねじ、１１…ねじ孔、１２…軸受、１３…ブレーキ板、１４…ブレーキシュー、１５…流体圧アクチュエーター、１６…支軸、１７…アーム、１８…支軸、１９…連結部材、２０…ピン、２１…連結部材、２２…溝、２３…中空軸、２４…一方の押え部材、２５…他方の押え部材、２６…規制部材、２７…肩部、２８…突起、２９…雄ねじ、３０…係合ピン、３１…長溝、３２…外リング、３３…内リング、３４…リブ、３５…枠体、３６…拘束部材、３６ａ…広鍔部、３７…連結板材、３８…外リング、３９…内リング、４０…リブ、４１…枠体、４２…拘束部材、４２ａ…広鍔部、４３…連結板材、４４…スリーブ、４５…ピンボルト、４６…圧縮ばね、４７…小穴、４８…バンドリール取り付け部材、４９…バンド案内装置。
【図１】
2010018286.tif 000003
【図２】
2010018286.tif 000004
【図３】
2010018286.tif 000005
【図４】
2010018286.tif 000006
【図５】
2010018286.tif 000007